(57)【特許請求の範囲】
【請求項１】
複数の霧化電極と、霧化電極の周囲に配されて該霧化電極の電界を安定化するダミー電極と、各霧化電極に霧化用の液体を供給する液供給手段と、霧化電極及びダミー電極に電圧を印加する電圧印加部とを具備し、
上記霧化電極及び上記ダミー電極のうち、上記霧化電極と対向する箇所にだけ、対向電極を配し、
上記対向電極は、上記霧化電極の先端と対向する箇所に、中央孔を貫設させてなり、
上記霧化電極で静電霧化させた液体を上記中央孔を通過させて外部へと放出させることを特徴とする静電霧化装置。
【請求項２】
上記霧化電極と上記ダミー電極とを共に電界形成用の電極素子としたとき、電極素子のうち各霧化電極を囲んで位置することとなる一対の電極素子の配置は、中央の霧化電極を挟んで位置する一対の電極素子と該霧化電極とが略等距離を隔てて位置するものであることを特徴とする請求項１に記載の静電霧化装置。
【請求項３】
上記霧化電極と上記ダミー電極とを共に電界形成用の電極素子としたとき、電極素子のうち各霧化電極を囲んで位置することとなる三個以上の電極素子の配置は、中央の霧化電極と周囲の各電極素子との間で略等間隔を保つとともに隣接する周囲の電極素子同士が略等間隔を保って位置するものであることを特徴とする請求項１に記載の静電霧化装置。
【発明の詳細な説明】
【技術分野】
【０００１】
本発明は、帯電微粒子液を生成する静電霧化装置に関する。
【背景技術】
【０００２】
従来から、静電霧化現象により帯電微粒子液を生成して放出することのできる静電霧化装置が知られている。この静電霧化装置は、霧化電極と、霧化電極に液体を供給する液供給手段と、霧化電極に電圧を印加する電圧印加部とを具備するものである。液体を保持する霧化電極に高電圧を印加することによって、静電霧化現象によりナノメータサイズの帯電微粒子液を大量に発生させることができる。
【０００３】
例えば特許文献１には、上記構成の静電霧化装置において、霧化電極を複数備えることが提案されている。このように霧化電極が複数備えてあることで、装置全体を大型化することなく、帯電微粒子液の発生効率を向上させることができる。また、オゾンの発生効率を低下させることができる。しかし、霧化電極を複数備えた場合には、隣接する霧化電極同士が互いの電界に影響を及ぼしあうため、静電霧化現象が安定化しにくいという問題がある。
【０００４】
例えば、図１０には、霧化電極１を縦横３列ずつ格子状に配列した例を示している。この場合、中央の霧化電極１においては、その周囲に他の霧化電極１が略均等に配置されているために、電界がバランスよく形成される。したがって、中央の霧化電極１では静電霧化現象が安定的に生じる。ところが、周囲に配置される各霧化電極１においては、その周囲に霧化電極１が均等に配置されるわけではないため、電界がバランスよく形成されず、したがって静電霧化現象を安定的に生じさせることができない。この問題は、図示例の配置に限った問題ではなく、どのような配置とした場合であっても少なくとも最外周の霧化電極においては、隣接する他の霧化電極との間で電界をバランスよく形成することが困難になるという問題がある。
【０００５】
なお、ここでの静電霧化現象とは、霧化電極に印加された高電圧により該霧化電極に保持される霧化液が帯電し、この帯電した霧化液にクーロン力が働くことで該霧化液の液面が局所的に円錐形状（テイラーコーン）を成すように盛り上がり、円錐形状となった水の先端に電荷が集中して高密度となった電荷の反発力で弾けるようにして霧化液が分裂、飛散（レイリー分裂）を繰り返して静電霧化を行う現象であると考えられる。
【特許文献１】特開２００６−２０５０１３号公報
【発明の開示】
【発明が解決しようとする課題】
【０００６】
本発明は上記問題点に鑑みて発明したものであって、霧化電極を複数配列して帯電微粒子液の発生効率を向上させ且つオゾンの発生効率を低下させるとともに、全ての霧化電極において電界をバランスよく形成させて静電霧化現象を安定化することのできる静電霧化装置を提供することを課題とするものである。
【課題を解決するための手段】
【０００７】
上記課題を解決するために本発明を、複数の霧化電極１と、霧化電極１の周囲に配されて該霧化電極１の電界を安定化するダミー電極２と、各霧化電極１に霧化用の液体を供給する液供給手段３と、霧化電極１及びダミー電極２に電圧を印加する電圧印加部４とを具備し、霧化電極１及びダミー電極２のうち、霧化電極１と対向する箇所にだけ、対向電極７を配し、対向電極７は、霧化電極１の先端と対向する箇所に、中央孔８を貫設させてなり、霧化電極１で静電霧化させた液体を中央孔８を通過させて外部へと放出させる静電霧化装置とする。このように霧化電極１を複数備えることで、装置全体を大型化することなく、帯電微粒子液の発生効率を向上させるとともにオゾンの発生効率を低下させることができる。このとき、隣接する霧化電極１同士が互いの電界に影響を及ぼしあうことになるが、ダミー電極２を備えてあることで、各霧化電極１の電界のバランスを保ったうえで安定的に静電霧化現象を生じさせることができる。
【０００８】
ここで、上記霧化電極１と上記ダミー電極２とを共に電界形成用の電極素子６としたとき、電極素子６のうち各霧化電極１を囲んで位置することとなる一対の電極素子６の配置は、中央の霧化電極１を挟んで位置する一対の電極素子６と該霧化電極１とが略等距離を隔てて位置するものであることが好適である。このようにすることで、各霧化電極１の周囲に電極素子６を一対配置したシンプルな配置によって、各霧化電極１での静電霧化現象を安定させ、帯電微粒子液を安定的に生成することができる。
【０００９】
また、同様に上記霧化電極１と上記ダミー電極２とを共に電界形成用の電極素子６としたとき、電極素子６のうち各霧化電極１を囲んで位置することとなる三個以上の電極素子６の配置は、中央の霧化電極１と周囲の各電極素子６との間で略等間隔を保つとともに隣接する周囲の電極素子６同士が略等間隔を保って位置するものであることが好適である。このようにすることで、平面上に霧化電極１を多数配設して帯電微粒子液の発生効率を向上させるとともに、各霧化電極１での静電霧化現象を安定させ、帯電微粒子液を安定的に生成することができる。
【発明の効果】
【００１０】
請求項１に係る発明は、霧化電極を複数備えたことで、装置全体を大型化することなく、帯電微粒子液の発生効率を向上させるとともにオゾンの発生効率を低下させることができるという効果を奏する。加えて、請求項１に係る発明は、ダミー電極を備えてあることで、各霧化電極の電界のバランスを保ったうえで安定的に静電霧化現象を生じさせ、帯電微粒子液を安定的に生成することができるという効果を奏する。
【００１１】
また請求項２に係る発明は、各霧化電極を囲んで位置する一対の電極素子の配置を、中央の霧化電極を挟んで位置する一対の電極素子と該霧化電極とが略等距離を隔てて位置するようにしたので、請求項１に係る発明の効果に加えて、シンプルな配置によって各霧化電極での静電霧化現象を安定させ、帯電微粒子液を安定的に生成することができるという効果を奏する。
【００１２】
また請求項３に係る発明は、各霧化電極を囲んで位置する三個以上の電極素子の配置を、中央の霧化電極と周囲の各電極素子との間で略等間隔を保つとともに隣接する周囲の電極素子同士が略等間隔を保って位置するものとしたので、請求項１に係る発明の効果に加えて、平面上に霧化電極を多数配設して帯電微粒子液の発生効率を向上させるとともに、各霧化電極での静電霧化現象を安定させ、帯電微粒子液を安定的に生成することができるという効果を奏する。
【発明を実施するための最良の形態】
【００１３】
以下、本発明を添付図面に示す実施形態に基づいて説明する。図１及び図２には、本発明の実施形態における第１例の静電霧化装置を示している。本例の静電霧化装置は、複数（本例では二個）の棒状の霧化電極１と、霧化電極１の周囲に配される同じく棒状のダミー電極２と、霧化電極１に霧化用の液体（本例では結露水）を供給するための冷却手段から成る液供給手段３と、これら霧化電極１及びダミー電極２に高電圧を印加させる電圧印加部４とを具備している。霧化電極１とダミー電極２とは材質及び寸法形状が同一であり、図中では区別のため、霧化電極１側にのみ斜線を施している。
【００１４】
上記液供給手段３を成す冷却手段は、冷却部５ａ及び放熱部５ｂを有し且つ該冷却部５ａを霧化電極１の基端部に接続させたペルチェユニット５である。このペルチェユニット５は、ペルチェ素子５ｃを多数配設するとともに該ペルチェ素子５ｃの冷却側に板状の冷却部５ａを接続させ、該ペルチェ素子５ｃの放熱側に同じく板状の放熱部５ｂを接続させた構造である。各ペルチェ素子５ｃへの通電は、図示しないリード線を介して行われる。
【００１５】
上記ペルチェユニット５のペルチェ素子５ｃに通電を行うと、冷却部５ａ側から放熱部５ｂ側に熱が移動し、各霧化電極１が冷却される。冷却された霧化電極１には結露水が生じ、この結露水が、霧化電極１に保持される霧化用の液体となる。なお、液供給手段３は上記構成に限定されず、例えば霧化電極１から離れた別の箇所で結露水を生成するとともにフェルト等の液搬送手段を介して霧化電極１の先端部に結露水を搬送する構造であってもよい。また、液供給手段３は、霧化電極１から離れた箇所のタンク中に水等の霧化液を貯留しておき、該タンク中から液搬送手段を介して霧化電極１の先端部に霧化液を搬送する構造であってもよい。
【００１６】
上記ダミー電極２は、図２に示すように、一直線上において一対の霧化電極１を両側から挟みこむ位置に一対配置されている。つまり、一直線上においてダミー電極２、霧化電極１、霧化電極１、ダミー電極２の順に配置させており、隣接するダミー電極２と霧化電極１の間の距離と、霧化電極１同士の間の距離とを略一致させている。上記配置により、各霧化電極１は、一直線上において、他の霧化電極１とダミー電極２とで両側から等距離を隔てて挟み込まれるようになっている。
【００１７】
ここで、霧化電極１とダミー電極２とを共に電界形成用の「電極素子６」と総称したうえで更に説明すると、上記電極素子６のうち各霧化電極１を囲んで位置することとなる一対の電極素子６（即ち、他の霧化電極１とダミー電極２）の配置は、中央の霧化電極１を挟んで位置する一対の電極素子６と該霧化電極１とが、略等距離を隔てて位置する配置となる。
【００１８】
更に本例にあっては、電極素子６のうち霧化電極１の先端部と対向する箇所にだけ、対向電極７を配している。この対向電極７は、対応する霧化電極１の先端から所定距離を隔てた箇所に中央孔８を貫設させたものである。対向電極７は、電圧印加部４を介して霧化電極１と電気的に接続させており、対向電極７と霧化電極１との間に高電圧が印加されるようになっている。
【００１９】
上記構成の本例の静電霧化装置において帯電微粒子液を発生させるには、ペルチェユニット５を駆動して電極素子６のうち霧化電極１のみを冷却させ、霧化電極１上に結露水を生成及び保持させたうえで、電圧印加部４により、電極素子６を成す霧化電極１及びダミー電極２がマイナス電極となって電荷が集中するように高電圧を印加させる。上記高電圧印加により、霧化電極１では該霧化電極１に保持される結露水が静電霧化現象により霧化され、ナノメータサイズを含む粒径で高い電荷を持つ帯電微粒子液を発生させる。一方、上記高電圧印加により、結露水が供給されることがなく且つ対向電極７と対向する位置にないダミー電極２においては、帯電微粒子液を発生させることがない。霧化電極１側でのみ生成された帯電微粒子液は、対向電極７の対応する中央孔８を通過して静電霧化装置の外部へと放出される。
【００２０】
そして、各霧化電極１においては、その霧化電極１から等間隔を隔てたうえで該霧化電極１を一直線上に挟むように配置される一対の電極素子６（即ち、他の霧化電極１とダミー電極２）が、中央の霧化電極１に対してバランスよく電界を発生させる。したがって、対向電極７と対向する霧化電極１の先端部では、霧化液が安定的にテイラーコーンを形成しながら、静電霧化現象を安定的に生じさせる。
【００２１】
なお、図示例では電圧印加部４と対向電極７との間に制限抵抗１０を設けて放電状態の安定化を図っているが、電圧印加部４と霧化電極１との間に制限抵抗１０を設けても構わない。具体的には、印加電極が２．５ｋＶ、一本あたりの霧化電極１の放電電流量が１μＡであるときに１０ＭΩの制限抵抗１０を挿入すると放電状態が安定する。また、印加電極が３．５ｋＶ、一本あたりの霧化電極１の放電電流量が１０μＡであるときには３０ＭΩの制限抵抗１０を挿入すると放電状態が安定する。
【００２２】
ところで、本例では、電界を形成して帯電微粒子液を生成する霧化電極１と、電界を形成するが帯電微粒子液は生成しないダミー電極２とを明確に区分けするために、霧化電極１側にのみ冷却手段を接続して結露水を生成させること、及び、霧化電極１側にのみ対向電極７を対向配置させることを行っているが、図３に示すような手段で区分けしてもよい。
【００２３】
図３（ａ）で示す手段では、霧化電極１とダミー電極２とで先端形状を相違させることで、霧化電極１側では静電霧化現象が生じるがダミー電極２側では静電霧化現象が生じないようにしている。なお、霧化電極１とダミー電極２の先端形状を共に球状とする場合には、霧化電極１の先端形状の径とダミー電極２の先端形状の径とを、後者が前者の１．２〜２倍程度となる範囲内に設定することが好ましい。上記範囲より小さいとダミー電極２にて放電が生じ、上記範囲より大きいと両電極１，２の電界の差が大きくなり過ぎてしまう。
【００２４】
図３（ｂ）で示す手段では、図３（ａ）に示す手段に加えて、霧化電極１とダミー電極２とで先端部の突出高さｈ１，ｈ２を相違させることで、霧化電極１側では静電霧化現象が生じるがダミー電極２側では静電霧化現象が生じないようにしている。なお、突出高さｈ１，ｈ２を相違させて霧化電極１とダミー電極２を区分けする場合には、ｈ２をｈ１の５０〜９９％程度に設定することが望ましく、更に望ましくは８０〜９５％程度に設定することである。
【００２５】
また、材質を相違させることで霧化電極１とダミー電極２を区分けする手段を用いてもよい。この場合、ダミー電極２側の材質を霧化電極１側の材質よりも熱伝導度の小さいものとする。霧化電極１とダミー電極２を区分けする手段は、上記した各手段を適宜組み合わせることができる。
【００２６】
次に、本発明の実施形態における第２例の静電霧化装置について、図４に基づいて説明する。なお、本例は第１例の構成と比較して、霧化電極１及びダミー電極２から成る電極素子６の配置のみが相違するので、以下において、第１例と一致する構成については詳しい説明を省略する。
【００２７】
本例の電極素子６の配置は、一直線上においてダミー電極２、霧化電極１、ダミー電極２、霧化電極１、ダミー電極２の順に配置させた（つまり、両端にダミー電極２が位置するように霧化電極１とダミー電極２を交互に配置させた）ものであり、隣接するダミー電極２と霧化電極１の間の距離を略一定に保持している。上記配置により、各霧化電極１は、一直線上において一対のダミー電極２により両側から等距離を隔てて挟み込まれるようになっている。
【００２８】
換言すると、上記電極素子６のうち各霧化電極１を囲んで位置することとなる一対の電極素子６（共にダミー電極２から成る）の配置は、中央の霧化電極１を挟んで位置する一対の電極素子６が、該霧化電極１と略等距離を隔てて位置する配置となる。
【００２９】
上記構成の本例の静電霧化装置において、電極素子６のうち霧化電極１のみを冷却させて結露水を生成及び保持させたうえで、霧化電極１及びダミー電極２に高電圧を印加させると、霧化電極１側でのみ静電霧化現象により帯電微粒子液が発生する。このとき、各霧化電極１から等間隔を隔てたうえで該霧化電極１を挟んで一直線上に配置される一対の電極素子６（即ち、一対のダミー電極２）が、中央の霧化電極１に対してバランスよく電界を発生させる。したがって、各霧化電極１の先端部で静電霧化現象が安定的に生じることとなる。
【００３０】
次に、本発明の実施形態における第３例の静電霧化装置について、図５に基づいて説明する。なお、本例は第１例の構成と比較して、霧化電極１及びダミー電極２から成る電極素子６の配置のみが相違するので、以下において、第１例と一致する構成については詳しい説明を省略する。
【００３１】
本例にあっては、平面上において多数配置される電極素子６のうち各霧化電極１の周囲に、三個の電極素子６が略均等に分散配置されている。図示例では、最も中央に位置する霧化電極１の周囲において、該霧化電極１を中心に描く円周をその周方向に略三等分する位置に、他の三個の霧化電極１を分散配置している。そして、分散配置される上記三個の霧化電極１のそれぞれにおいて、該霧化電極１を中心に描く円周をその周方向に略三等分する位置に、上記の最も中央の霧化電極１に加えて一対のダミー電極２を分散配置している。
【００３２】
換言すると、各霧化電極１において、該霧化電極１とその周囲に配置される三個の電極素子６（即ち、他の霧化電極１又はダミー電極２）との間でそれぞれ略等間隔を保つとともに、隣接する周囲の電極素子６同士が略等間隔を保って位置している。
【００３３】
上記構成の本例の静電霧化装置において、電極素子６のうち霧化電極１のみを冷却させて結露水を生成及び保持させたうえで、霧化電極１及びダミー電極２に高電圧を印加させると、霧化電極１側でのみ静電霧化現象により帯電微粒子液が発生する。このとき、各霧化電極１の周囲に分散配置される電極素子６が、中央の霧化電極１に対してバランスよく電界を発生させる。したがって、各霧化電極１の先端部で静電霧化現象が安定的に生じることとなる。
【００３４】
次に、本発明の実施形態における第４例の静電霧化装置について、図６に基づいて説明する。なお、本例は第３例の構成と比較して、霧化電極１及びダミー電極２から成る電極素子６の基本的な配置パターンは一致している。以下においては、第３例と一致する構成については詳しい説明を省略し、相違する構成について詳述する。
【００３５】
本例にあっては、最も中央に位置する霧化電極１の周囲において、該霧化電極１を中心に描く円周をその周方向に略三等分する位置に、他の三個の霧化電極１を分散配置している。そして、分散配置される上記三個の霧化電極１のそれぞれにおいて、該霧化電極１を中心に描く円周をその周方向に略三等分する位置に、上記の最も中央の霧化電極１に加えて、更に他の一対の霧化電極１を分散配置している。加えて、この最外周側に位置する更に他の各霧化電極１において、該霧化電極１を中心に描く円周をその周方向に略三等分する位置に、上記の他の霧化電極１に加えて一対のダミー電極２を分散配置している。
【００３６】
最外周側の各霧化電極１の周囲に配置される一対のダミー電極２のうち一方は、隣接する最外周側の霧化電極１の周囲に配置される一対のダミー電極２の一方として共用される。したがって、図示のように、平面上を複数の六角形で隙間なく埋めた蜂の巣状の図形において、各六角形の頂点に電極素子６を位置させた配置となっている。
【００３７】
本例の配置によっても、各霧化電極１において、該霧化電極１とその周囲に配置される三個の電極素子６（即ち、霧化電極１又はダミー電極２）との間でそれぞれ略等間隔を保つとともに、隣接する周囲の電極素子６同士が略等間隔を保って位置している。上記構成の本例の静電霧化装置において、電極素子６のうち霧化電極１のみに結露水を保持させたうえで、霧化電極１及びダミー電極２に高電圧を印加させると、周囲の電極素子６によってバランスよく電界を発生させた各霧化電極１の先端部において、静電霧化現象が安定的に生じることとなる。
【００３８】
次に、本発明の実施形態における第５例の静電霧化装置について、図７に基づいて説明する。なお、本例は第１例の構成と比較して、霧化電極１及びダミー電極２から成る電極素子６の配置のみが相違するので、以下において、第１例と一致する構成については詳しい説明を省略する。
【００３９】
本例にあっては、平面上において多数配置される電極素子６のうち各霧化電極１の周囲に、四個の電極素子６が略均等に分散配置されている。図示例では、中央において四個の霧化電極１を配し、これらの霧化電極１を囲む位置に八個のダミー電極２を配している。中央の四個の霧化電極１は、隣接する霧化電極１同士が略等間隔を保って位置するようになっている。そして、各霧化電極１において、該霧化電極１を中心に描く円周をその周方向に略四等分する位置に、隣接する他の一対の霧化電極１に加えて一対のダミー電極２を分散配置している。
【００４０】
換言すると、各霧化電極１において、該霧化電極１とその周囲に配置される四個の電極素子６（即ち、隣接する他の一対の霧化電極１及び一対のダミー電極２）との間でそれぞれ略等間隔を保つとともに、隣接する周囲の電極素子６同士が略等間隔を保って位置している。
【００４１】
各霧化電極１の周囲に配置される一対のダミー電極２のうち一方は、隣接する他の霧化電極１の周囲に配置される一対のダミー電極２の一方として共用される。したがって、図示のように、平面上を複数の四角形で隙間なく埋めた格子状の図形において、各四角形の頂点に電極素子６を位置させた配置となっている。
【００４２】
上記構成の本例の静電霧化装置において、電極素子６のうち霧化電極１のみに結露水を保持させたうえで、霧化電極１及びダミー電極２に高電圧を印加させると、周囲の電極素子６によってバランスよく電界を発生させた各霧化電極１の先端部において、静電霧化現象が安定的に生じることとなる。
【００４３】
次に、本発明の実施形態における第６例の静電霧化装置について、図８に基づいて説明する。なお、本例は第１例の構成と比較して、霧化電極１及びダミー電極２から成る電極素子６の配置のみが相違するので、以下において、第１例と一致する構成については詳しい説明を省略する。
【００４４】
本例にあっては、平面上において多数配置される電極素子６のうち各霧化電極１の周囲に、六個の電極素子６が略均等に分散配置されている。図示例では、中央において三個の霧化電極１を配し、これらの霧化電極１を囲む位置に九個のダミー電極２を配している。中央の三個の霧化電極１は、隣接する霧化電極１同士が略等間隔を保って位置するようになっている。そして、各霧化電極１において、該霧化電極１を中心に描く円周をその周方向に略六等分する位置に、隣接する他の一対の霧化電極１に加えて四個のダミー電極２を分散配置している。
【００４５】
換言すると、各霧化電極１において、該霧化電極１とその周囲に配置される六個の電極素子６（即ち、隣接する他の一対の霧化電極１及び４個のダミー電極２）との間でそれぞれ略等間隔を保つとともに、隣接する周囲の電極素子６同士が略等間隔を保って位置している。各霧化電極１の周囲に配置される四個のダミー電極２のうち両端の二個は、隣接する他の霧化電極１の周囲に配置される四個のダミー電極２の一つとして共用されている。
【００４６】
上記構成の本例の静電霧化装置において、電極素子６のうち霧化電極１のみに結露水を保持させたうえで、霧化電極１及びダミー電極２に高電圧を印加させると、周囲の電極素子６によってバランスよく電界を発生させた各霧化電極１の先端部において、静電霧化現象が安定的に生じることとなる。
【００４７】
次に、本発明の実施形態における第７例の静電霧化装置について、図９に基づいて説明する。なお、本例は第６例の構成と比較して、霧化電極１及びダミー電極２から成る電極素子６の基本的な配置パターンは一致している。以下においては、第６例と一致する構成については詳しい説明を省略し、相違する構成について詳述する。
【００４８】
本例にあっては、最も中央に位置する霧化電極１の周囲において、該霧化電極１を中心に描く円周をその周方向に略六等分する位置に、他の六個の霧化電極１を分散配置している。そして、分散配置される上記六個の霧化電極１のそれぞれにおいて、該霧化電極１を中心に描く円周をその周方向に略六等分する位置に、上記の最も中央の霧化電極１及び隣接する他の一対の霧化電極１に加えて、三個のダミー電極２を分散配置している。
【００４９】
外周側の霧化電極１の周囲に配置される三個のダミー電極２のうち両端の二個は、隣接する他の霧化電極１の周囲に配置される三個のダミー電極２の一つとして共用されている。したがって、図示のように、平面上を複数の六角形で隙間なく埋めて蜂の巣状にするとともに各六角形内を六個の三角形に分割させた図形において、各三角形の頂点に電極素子６を位置させた配置となっている。
【００５０】
本例の配置によっても、各霧化電極１において、該霧化電極１とその周囲に配置される六個の電極素子６（即ち、他の霧化電極１又はダミー電極２）との間でそれぞれ略等間隔を保つとともに、隣接する周囲の電極素子６同士が略等間隔を保って位置している。上記構成の本例の静電霧化装置において、電極素子６のうち霧化電極１のみに結露水を保持させたうえで、霧化電極１及びダミー電極２に高電圧を印加させると、周囲の電極素子６によってバランスよく電界を発生させた各霧化電極１の先端部において、静電霧化現象が安定的に生じることとなる。
【００５１】
以上、第１例〜第７例の静電霧化装置について説明したが、霧化電極１及びダミー電極２の配置パターンや配置数については適宜の設計変更が可能である。なお、平面上において霧化電極１を多数配設可能な配置パターンは、第３例及び第４例のように各霧化電極１の周囲に三個の電極素子６を均等に分散配置するパターンか、第５例のように各霧化電極１の周囲に四個の電極素子６を均等に分散配置するパターンか、第６例及び第７例のように各霧化電極１の周囲に六個の電極素子６を均等に分散配置するパターンである。
【図面の簡単な説明】
【００５２】
【図１】本発明の実施形態における第１例の静電霧化装置の概略側断面図である。
【図２】同上の静電霧化装置の霧化電極及びダミー電極の配置を示す概略平面図である。
【図３】（ａ）、（ｂ）は、同上の静電霧化装置の霧化電極及びダミー電極の他形態を示す概略側面図である。
【図４】本発明の実施形態における第２例の静電霧化装置の霧化電極及びダミー電極の配置を示す概略平面図である。
【図５】本発明の実施形態における第３例の静電霧化装置の霧化電極及びダミー電極の配置を示す概略平面図である。
【図６】本発明の実施形態における第４例の静電霧化装置の霧化電極及びダミー電極の配置を示す概略平面図である。
【図７】本発明の実施形態における第５例の静電霧化装置の霧化電極及びダミー電極の配置を示す概略平面図である。
【図８】本発明の実施形態における第６例の静電霧化装置の霧化電極及びダミー電極の配置を示す概略平面図である。
【図９】本発明の実施形態における第７例の静電霧化装置の霧化電極及びダミー電極の配置を示す概略平面図である。
【図１０】静電霧化装置に霧化電極を複数備えた場合の配置例を示す概略平面図である。
【符号の説明】
【００５３】
１  霧化電極
２  ダミー電極
３  液供給手段
４  電圧印加部
６  電極素子
【図１】
0005016505.tif 000002
【図２】
0005016505.tif 000003
【図３】
0005016505.tif 000004
【図４】
0005016505.tif 000005
【図５】
0005016505.tif 000006
【図６】
0005016505.tif 000007
【図７】
0005016505.tif 000008
【図８】
0005016505.tif 000009
【図９】
0005016505.tif 000010
【図１０】
0005016505.tif 000011